(57)【要約】【課題】単一拍型脱進機の自動始動の問題を緩和することによって、これら脱進機の機能の安定性をさらに改善すること、及び、工業的な大量生産に関して実現可能性を保証すること。【解決手段】この脱進機は、上記第２可動体（２）が、間接衝撃手段（２．６）を備え、間接衝撃手段が、当該脱進機の通常機能中の調整機構の全振動中に、雁木車（３）と接触しない一方で、調整機構の振動それぞれの他の半段階中に雁木車と接触するように、配設されており、他の半段階中において、雁木車（３）が、当該雁木車（３）を用いた直接衝撃によって調整機構にトルクを伝達しておらず、そのため、時計ムーブメントの故意でない運動または故意ない停止に続いて、第２可動体（２）を介した間接衝撃によって時計ムーブメントの上記調整機構にトルクを伝達している、ことによって区別されている。【選択図】図３
2019203894.tif 000002
【特許請求の範囲】
【請求項１】
時計ムーブメントに一体化されるように構成されかつ上記時計ムーブメントのエネルギー源に由来するトルクを前記時計ムーブメントの振動調整機構に伝達するように構成された時計戻止脱進機であって、
前記ムーブメントの前記調整機構が、第１可動体（１）を備え、
当該脱進機が、第２可動体（２）と、雁木車（３）と、を備え、
前記第１可動体（１）が、第１及び第２ドテ（４．１、４．２）によって各別に画成された第１または第２位置で前記第２可動体（２）を停止させることができることによって、前記第２可動体（２）と協働し、
前記第２可動体（２）が、前記第１及び第２ドテに達して支えられ、
前記雁木車（３）が、前記調整機構の振動それぞれの半段階中に、直接衝撃によって前記調整機構にトルクを伝達させるように配設されており、
前記第２可動体（２）が、間接衝撃手段（２．６）を備え、
前記間接衝撃手段が、当該脱進機の通常機能中の前記調整機構の全振動中に、前記雁木車（３）と接触しない一方で、前記調整機構の振動それぞれの他の半段階中に前記雁木車と接触するように、配設されており、
前記他の半段階中において、前記雁木車（３）が、当該雁木車（３）を用いた直接衝撃によって前記調整機構にトルクを伝達しておらず、そのため、前記時計ムーブメントの故意でない運動または故意ない停止に続いて、前記第２可動体（２）を介した間接衝撃によって前記時計ムーブメントの前記調整機構にトルクを伝達していることを特徴とする時計戻止脱進機。
【請求項２】
前記エネルギー源が、香箱ゼンマイによって形成されており、
前記調整機構が、テンプによって形成されていることを特徴とする請求項１に記載の時計戻止脱進機。
【請求項３】
前記時計ムーブメントの前記調整機構の前記第１可動体（１）が、前記テンプの軸（１．１）によって支持されたローラ（１．２）によって形成されていることを特徴とする請求項２に記載の時計戻止脱進機。
【請求項４】
当該脱進機の前記第２可動体（２）には、角度付き運動または矩形状運動が付与されていることを特徴とする請求項１から３のいずれか１項に記載の時計戻止脱進機。
【請求項５】
当該脱進機の前記第２可動体（２）が、アンクル（２）によって形成されており、
前記ローラ（１．２）が、前記アンクル（２）と協働するように構成されていることを特徴とする請求項３及び４に記載の時計戻止脱進機。
【請求項６】
前記間接衝撃手段が、前記第２可動体（２）、すなわち前記アンクル（２）の前記回動軸に十分に近接して位置する間接衝撃爪石（２．６）によって、特に出止アンクル位置（２．５）を支持する前記アンクル（２）の腕体の第１半体であって前記回動軸に近接する第１半体に位置する間接衝撃爪石（２．６）によって、形成されていることを特徴とする請求項１から５のいずれか１項に記載の時計戻止脱進機。
【請求項７】
前記間接衝撃爪石（２．６）が、低摩擦かつ低摩耗材料から、好ましくはルビーまたはサファイアから形成されていることを特徴とする請求項６に記載の時計戻止脱進機。
【請求項８】
前記雁木車（３）が、１３から１９の範囲にある数の歯を備えることを特徴とする請求項１から７のいずれか１項に記載の時計戻止脱進機。
【請求項９】
前記ローラ（１．２）によって形成された前記第１可動体（１）が、内壁（１．２．１．１）及び外壁（１．２．１．２）を有するスカート（１．２．１）によって囲まれた円形プレートを備え、
前記スカート（１．２．１）が、前記第２可動体（２）に固定された指体（２．２．３）が横断するように配設された切欠（１．２．１．３）を有し、
前記第２可動体（２）が、当該第２可動体が前記第１ドテ（４．１）に支えられておりかつ当該第２可動体の前記指体（２．２．３）が前記スカート（１．２．１）の前記内壁（１．２．１．１）に隣接すると、前記第１位置に停止され、当該第２可動体が前記第２ドテ（４．２）に支えられておりかつ当該第２可動体の前記指体（２．２．３）が前記スカート（１．２．１）の前記外壁（１．２．１．２）に隣接すると、前記第２位置に停止されることを特徴とする請求項３から８のいずれか１項に記載の時計戻止脱進機。
【請求項１０】
前記第２可動体（２）が、前記指体（２．２．３）のほぼ反対側の方向に方向付けられた少なくとも１つの安定化案内面を備え、そのため、当該脱進機の機能段階であって当該第２可動体（２）に取り付けられた前記指体（２．２．３）が前記第１可動体（１）の前記スカート（１．２．１）の前記切欠（１．２．１．３）を横断する機能段階中に当該第２可動体（２）を安定化させることを特徴とする請求項９に記載の時計戻止脱進機。
【請求項１１】
前記安定化案内面が、前記雁木車（３）による前記テンプ（１）の衝撃段階中に、当該脱進機の前記雁木車（３）の軌道の外側周辺にあるように配設されかつ位置付けられており、そのため、前記第２可動体（２）、すなわち前記アンクル（２）を安定化させるために前記雁木車（３）と接触することができ、故意でない運動に続いて前記第２可動体が前記雁木車（３）の軌道上を戻ることを防止することを特徴とする請求項１０に記載の時計戻止脱進機。
【請求項１２】
前記テンプ（１）へ直撃を直接伝達する雁木車（３）を備える直接衝撃型脱進機、好ましくはロビン式脱進機であることを特徴とする請求項１から１１のいずれか１項に記載の時計戻止脱進機。
【請求項１３】
エネルギー源、調整機構（１）、脱進機及びトレインを備える時計ムーブメントであって、
前記脱進機が、請求項１から１２のいずれか１項に記載の時計脱進機であることを特徴とする時計ムーブメント。
【請求項１４】
時計、好ましくは腕時計であって、
請求項１から１２のいずれか１項に記載の時計脱進機、または、請求項１３に記載の時計ムーブメントを備えることを特徴とする時計。
【請求項１５】
クロノグラフウォッチまたはスプリットタイムカウンタウォッチであることを特徴とする請求項１４に記載の時計。
【発明の詳細な説明】
【技術分野】
【０００１】
本発明は、戻止タイプの時計の脱進機に、並びに、このような脱進機を備える時計ムーブメント及び時計、特に機械式腕時計に、関する。より詳しくは、本発明は、時計戻止脱進機に関し、この時計戻止脱進機は、時計ムーブメントに一体化されるように構成されかつ上記時計ムーブメントのエネルギー源に由来するトルクを上記時計ムーブメントの振動調整機構に伝達させるように構成されており、時計ムーブメントの調整機構は、第１可動体を備え、脱進機は、第２可動体及び雁木車を備え、上記第１可動体は、第１及び第２ドテ(banking)によって各別に画成された第１または第２位置に第２可動体を停止させることができることによって、第２可動体と協働し、上記第２可動体は、これら第１及び第２ドテに達し、当接して支えられ、上記雁木車は、調整機構の各振動の半段階に直接衝撃によって上記調整機構にトルクを伝達させるように構成されている。
【背景技術】
【０００２】
脱進機が時計ムーブメントの重要な要素のうちの１つである状態で、様々なタイプの多数の時計脱進機は、存在する。一般的に、機械式腕時計の範囲内には、ムーブメントの振動する調整機構すなわちテンプが脱進機の一部と絶えず接触する一群の永久接触脱進機と、ロック解除及び衝撃中を除いてテンプが脱進機と接触していない一群の自由脱進機(free escapement)と、が存在する。
【０００３】
前掲の一群の自由脱進機自体には、複数のタイプの脱進機がある。とりわけ、この一群には、スイスレバー式脱進機があり、この脱進機は、機械式ムーブメントを有する腕時計で現在使用されている時計脱進機の大半を占めている。当業者は、このタイプの脱進機の構成部材の及び機構の完全な知識を有しており、このタイプの脱進機を図１ａに示しており、そのために、構造、機構及び対応する用語をここでは示していない。同様に、当業者は、時計学においてアンクルｃの用語「ドテ越え(overbanking)」として知られていることを防止するために、スイスレバー式脱進機には通常「保護ピン」ｇと称される部品が備え付けられており、このドテ越えは、テンプの、すなわち対応する時計の即時の停止をもたらす。保護ピンがないと、このような脱進機のアンクルのドテ越えは、脱進機が機能している間の特定の段階中に、すなわち、例えばアンクルｃをこれらアンクルの目標位置から分離させてアンクルを他方の制限ドテｅに時期尚早に当接させる震動に続いて、テンプが補助円弧にわたって移動してアンクルｃが制限ドテの一方または他方に当接して位置している間に、発生し得、そのため、テンプの衝撃ローラｉのピンｔは、切欠にはもはや合わないが、アンクルｃのクワガタｆのツノの一方の背後に偶発的に合い、その結果、テンプの迅速な停止を招く。レバー式脱進機のクワガタｆの端部にあるブロックに固定された小さな金属ピンである保護ピンｇを用いることにより、保護ピンｇがテンプｊの軸によって支持された小ツバｈと協働しかつテンプの補助振動円弧中にクワガタｆの偶発的な変位を防止することに起因して、この問題を回避することが可能となる。これら幾何形状の制約に起因して、スイスレバー式脱進機は、震動に対して相当良好に安定化されており、腕時計で使用されるのに特に良好に役立つ。
【０００４】
一群の自由脱進機は、同様に、戻止脱進機と称する脱進機を有し、この戻止脱進機は、図１ｂに概略的に示されており、時間測定法の観点から最良の脱進機として考えられている。戻止脱進機の原理が長期にわたって公知であるので、本明細書は原理を繰り返さないが、本発明及びその内容の理解を促進するために再述することは、アンクルを用いて衝撃を雁木車からテンプへ伝達させる一群の間接衝撃型脱進機に属する上述したスイスレバー式脱進機とは異なり、直接衝撃型脱進機に関すること、である。戻止脱進機において、端的に、雁木車ｆの歯は、止石と称されかつ戻止ｂと称されるゼンマイによって支持されている宝石に支えられており、雁木車の延長部は、排出アンクルｃの作動範囲内に位置しており、排出アンクルは、テンプが振動する度に雁木車のロック解除を動作させ、それにより、雁木車ｆの歯は、止石ａから離れ、衝撃ローラｄによって支持されている衝撃アンクルｅに作用する雁木車の別の歯は、テンプに衝撃を与える。したがって、衝撃は、雁木車によってテンプに直接伝達され、その結果、いくつかの利点を有する。これら利点には、とりわけ、（ａ）振動期間あたりにテンプを２回阻害するスイスレバー式脱進機と比較して、振動期間あたりに単一のみの衝撃があることを考えると、脱進機がテンプをあまり阻害しないことが含まれる。すなわち、戻止脱進機は、当業者が用語「単一拍」、すなわち、半振幅には衝撃がないとして知っていることを有する。直接衝撃型脱進機は、同様に、（ｂ）効率の損失を伴うアンクルのような補助構成部材を介して送ることなく雁木車からテンプへ衝撃を直接伝達させることに起因して、良好な効率を有する。また、（ｃ）衝撃を雁木車の中心とテンプの中心とを繋ぐ線に直交する方向に沿って衝撃を行うという、かつ、アンクルレベルで伝達される衝撃がないことにより、衝撃中の摩擦及びぶつかる危険性を低減し、それにより、潤滑油の必要性を排除する。さらに、（ｄ）単一拍が存在することにより、振動子の死点に関して振動によって単一衝撃の位置を正確に設定することが可能となり、半振動中の死点前または死点後に衝撃の位置を設定することが他の半振動中の衝撃の位置を設定することを誤ることを招くことから、この単一衝撃は、振動期間あたり２つの衝撃を有するスイスレバー式脱進機で可能ではない。また、（ｅ）図１ｂに示す戻止脱進機は、アンクルを有しておらず、したがって、スイスレバー式脱進機と比較して一定の機械的簡素性を有する。これら利点すべては、間接衝撃型脱進機と比べれば直接衝撃型脱進機のより良好な精度及びより大きな自律性という結果をもたらし、そのために、戻止脱進機の、すなわち直接衝撃を用いた産業上利用可能性は、時計産業にとって興味深い。しかしながら、戻止脱進機は、主要な欠点、すなわち、震動の影響を最小化するために幾何形状的に制限されない欠点、を有する。戻止脱進機が特に海洋クロノメーターで約２世紀にわたって使用されているが、戻止脱進機によって振動調整機構に付与される自由度は、そのまま腕時計で使用され得ないという結果を有する。
【０００５】
このために、腕時計に関する一定のその利点を維持するために、戻止脱進機の原理を使用した様々な変形例を過去において実現されていた。過去に想定された解決手法の一部を挙げると、ロビン式脱進機を挙げ得、これは、本出願の出願人によって実現されたように安定している。ロビン式脱進機の原理が１７９１年から公知であるので、原理を本明細書では説明しないが、再述することは、図１ｃに概略的に示すように、このロビン式脱進機が、同様に、戻止バネをアンクルに置換した直接衝撃型脱進機に関していること、である。図１ｃに示すロビン式脱進機が戻止脱進機の上述した利点（ａ）から（ｄ）を有するが、述べなければならないことは、ロビン式脱進機のアンクルが十分には制約されておらず、そのため、ロビン式脱進機が震動時において安定化されておらず、したがってアンクル自体がそのまま腕時計で役には立たないこと、である。また、ロビン式脱進機のような単一拍型脱進機の自動再始動、すなわちもっぱら外部励起なく雁木車のトルクの作用を受けた自動再始動が不可能であるので、対応するムーブメントの故意でない停止は、結果として、このような脱進機が備え付けられた時計の長期にわたる全停止を招き得る。実際には、単一拍が原因で、不動のテンプが雁木車を解放できないために、自動始動が不可能である静止位置で停止する可能性があることから、香箱ゼンマイが完全にバネ力を放出させた停止後における自動始動は、このタイプの脱進機では保証されていない。
【０００６】
ロビン式脱進機を震動に対する安定化の問題を緩和させるため、本願の出願人は、ロビン式脱進機を２０００年に開発しており、以降、ＡＰ脱進機と称され、この脱進機は、特許文献１の明細書で詳述されているように、震動に対して安定化されており、この特許文献１の内容は、参考として本明細書に組み込まれる。上記特許文献１の技術的指導全体を文字通り繰り返さずに本発明の内容の理解を促進するために、留意することは、特許文献１にかかる時計脱進機における重要な関心が、スイスレバー式脱進機の保護ピンに替えてロックデバイスをロビン式脱進機に付与することによって、産業上利用可能な腕時計のためのロビン式脱進機を提供すること、である。実際には、上述した従来の保護ピンを使用することは、アンクルの十分に大きな角度軌跡を有するレバー式脱進機においてのみ可能である。しかしながら、特許文献１で詳述したように、アンクルの角度軌跡がより小さいロビン式脱進機には該当しない。特許文献１にかかる発明によれば、ロビン式脱進機を産業上利用可能に提供すること、及び、特定のロックデバイスを提案することによって腕時計に組み込むこと、が可能となり、このロックデバイスは、従来の保護ピンと同じ機能を満たすが、従来の保護ピンとは異なり、スイスレバー式脱進機におけるよりも角度軌跡が小さいアンクルの場合においても使用されるように構成されている。図１ｄに概略的に示すように、この特定のロックデバイスは、テンプの小ツバの陥凹と協働する従来の保護ピンを、保護ピンの端部のうちテンプに向けて方向付けられた端部を改良した保護ピン２．２で置換しており、この端部において、保護ピンは、テンプの円形プレート１．２に備え付けられかつ内壁１．２．１．１及び外壁１．２．１．２を有するスカート１．２．１と協働するように構成された指体２．２．３を有し、上記スカートは、上記指体２．２．３が横断するように構成された切欠１．２．１．３を有する。すなわち、従来の保護ピンとテンプの小ツバの対応する陥凹とによって形成され、テンプの軸に垂直な平面で単独で動作する簡素なピンは、改良した保護ピン並びに上記スカートの内壁及び外壁の長手方向の範囲の方向に対して直交する態様で取り付けられた指体で置換されており、この指体は、切欠を有し、これら部品は、テンプの軸に平行な平面のような垂直な平面において複雑な幾何形状及び動作を有する。このステップは、このようなロックデバイスを同様に直接衝撃型脱進機、特にロビン式脱進機と組み合わせて使用することを許容し、２０００年以降、本願の発明者が機械式腕時計でロビン式脱進機を大量生産して市場に出すことを可能としている。さらに、特許文献２で詳述したように、本願の出願人は、２０１６年にロビン式脱進機の震動に対する安定化をさらに改善しており、この特許文献２の内容は、参考として本明細書に組み込まれる。端的に、改良は、上記特定のロックデバイスに、すなわち改良した保護ピンであってこの改良した保護ピン自体をロビン式脱進機で使用することに役立つ改良した保護ピンに、故意でない運動の後にアンクルが雁木車の軌道に戻ることを防止するように構成されかつ位置付けられた安定化案内面を一体化すること、にある。図１ｄに示すＡＰ脱進機が、ＡＰ脱進機の改良した変形例及びロビン式脱進機と同様に、戻止脱進機の上述した利点（ａ）から（ｄ）を有している、特に、潤滑油を必要としていないが、留意すべきことは、震動に対する安定化とは無関係であるというロビン式脱進機の欠点をこのＡＰ脱進機が示していること、特に、香箱ゼンマイが完全にバネ力を放出した停止後の自動始動が常には保証されないこと、である。また、特許文献２で言及したように、かつ、特許文献１にかかるＡＰ脱進機の全体に良好な機能にもかかわらず、２０００年版のＡＰ脱進機には、使用する部品の非常にぎりぎりの機械的許容誤差に起因して、保護ピンの指体と上記特定のロックデバイスとの間の衝突が発生し得るいくつかの稀な配置(constellation)が存在し、この問題は、上記安定化案内面を一体化することによって低減される。
【０００７】
戻止脱進機の原理を使用してそのため腕時計に関するこの戻止脱進機の利点の一部を維持する別の解決法は、図１ｅに概略的に示さるように、径方向二重衝撃型脱進機と称する脱進機を考案した時計師George Danielsによって実現されている。この脱進機は、ロビン式脱進機に対応しているが、単一拍型脱進機において振動ごとに欠損している拍は、アンクルに中心に位置付けられた第３爪石Ｌを用いて実現された間接衝撃によって置換されており、この第３爪石は、ピンＲを用いてテンプにトルクを伝達させる。衝撃は、径方向であり、したがって、原則的に、潤滑を必要とせず、単一拍の抑制は、原則的に、単一拍型脱進機の自動始動に関する問題を緩和させなければならず、そのため、この脱進機は、戻止脱進機の一定の利点を維持しつつロビン式脱進機の一定の欠点を回避する。他方、この径方向二重衝撃型脱進機の幾何形状は、アンクルの中心に位置付けられた第３爪石がアンクルの腕体の空間開口部及びテンプの傾斜角度に相当する３０°という非常に大きな回転角度を必要とするという事実に起因して、非常に特有である。そのため、入爪及び出爪は、雁木車の円に対して直交しておらず、これにより、ロック解除に対する抵抗を増加させている。また、この脱進機は、雁木車がアンクルに当接して支えられているときに自動始動しない。径方向二重衝撃型脱進機の問題を緩和させるため、George Danielsは、とりわけ、以下で「同軸脱進機」と称されかつ図１ｆに概略的に示される脱進機をさらに開発した。径方向二重衝撃型脱進機に対する同軸脱進機の主な差異は、雁木車において第２レベルの歯の導入が雁木車の通常の歯に対して同心であり、したがって「同軸」と称される。雁木車の内側列の歯は、間接衝撃の幾何形状を容易にするためにのみ存在しており、それ以外は、同軸脱進機の機能は径方向二重衝撃型脱進機の機能と同じであり、そのため、同軸脱進機は、同様に、ロビン式脱進機とみなされ得る。この新規の幾何形状により、アンクルの腕体は、同様に、入爪及び出爪が雁木車の円に対して直交することを許容する幾何形状を有し、そのため、同軸脱進機の腕体の幾何形状は、もはやロック解除に不利益を及ぼさない。しかしながら、第２レベルの同軸歯によって形成された補助車を追加することは、複雑性を増加させ、雁木車に重量を追加し、この重量増は、ロック解除に続く雁木車の加速に不利益を及ぼす。また、この脱進機を工業化することは、明らかに潤滑油を必要とし、この潤滑油は、戻止脱進機、すなわちロビン式脱進機を使用する元の動機に反しており、そのため、原則的に、このレベルにおける潤滑油を抑制することを許容する。
【０００８】
ところで、戻止脱進機、すなわちロビン式脱進機を機械式腕時計に組み込むために過去に想定されたこれら様々な解決法の不完全な検討に続き、明らかなことは、これら脱進機を改善する可能性が依然としてあること、であり、これら脱進機の製造は、比較的複雑でまたコストがかかり、これら脱進機は、クロノグラフ機構が備え付けられた腕時計のような非常に高級な時計に組み込むことに関して通常控えられる。
【先行技術文献】
【特許文献】
【０００９】
【特許文献１】欧州特許第１１２２６１７号明細書
【特許文献２】スイス国特許第７１２２８８号明細書
【発明の概要】
【発明が解決しようとする課題】
【００１０】
その結果、本発明の目的は、上述した欠点を少なくとも部分的に緩和すること、及び、単一拍型脱進機の自動始動の問題を緩和することによって、これら脱進機の機能の安定性をさらに改善することによって、同様に、工業的な大量生産に関して実現可能性を保証することによって、戻止脱進機の上述した利点を維持しつつ、戻止脱進機、好ましくはロビン式脱進機、特に好ましくは特許文献１で、または特許文献２で説明したタイプの脱進機を提供すること、である。また、本発明の目的は、頑丈であり使用中に可能な限り簡素でありかつ信頼性を有する構造によってこのような脱進機を実現すること、である。解決法は、ロビン式脱進機に組み込むことに適合されるべきであるが、他の同様の時計機構にも脱進機の使用を許容すべきである。本発明の別の目的は、このような脱進機を備える時計ムーブメント及び時計を実現することである。
【課題を解決するための手段】
【００１１】
このために、本発明は、請求項１で説明した特徴によって識別された上述したタイプの脱進機を提案する。特に、提案した脱進機の第２可動体は間接衝撃手段を備え、この第２可動体は、脱進機の通常機能中の調整機構の全振動において雁木車と接触せず、一方で、調整機構の振動それぞれの他の半段階であってこの半段階において雁木車が直接衝撃によって調整機構へトルクを伝達させない半段階中に雁木車と接触でき、そのため、時計ムーブメントの故意でない移動または故意でない停止に続いて、第２可動体を介した間接衝撃によって時計ムーブメントの上記調整機構へトルクを伝達させるように、構成されかつ位置付けられている。好ましくは、エネルギー源は、香箱ゼンマイによって形成されており、調整機構は、テンプによって形成されており、上記第１可動体は、テンプの軸によって支持されたローラによって形成されており、上記第２可動体は、アンクルによって形成されており、上記間接衝撃手段は、アンクルの回動軸に十分に近接して位置する間接衝撃爪石によって形成されている。好ましい形成において、雁木車は、１３から１９の範囲にある数の歯を備える。
【００１２】
時計ムーブメントの故意でない移動または故意でない停止に続いて、かつ、テンプの振動の半段階であってこの半段階において雁木車が直接衝撃によってテンプにトルクを伝達させない半段階中に、上記間接衝撃爪石が雁木車と接触してアンクルを介した間接衝撃によってテンプにトルクを伝達させることから、これらステップによって、脱進機は、戻止脱進機の上述した利点を有するが、単一拍型脱進機の自動始動に関する問題を示さない。このため、ムーブメントの故意でない停止時における自動始動を保証する。また、これにより、間接衝撃爪石を一体化することによってスカートの外側に保護ピンの指体が出る間に関与する部品の許容誤差を緩和することを許容するので、特にＡＰ脱進機の場合において、脱進機の機能の安全性をさらに改善することを許容し、このような許容誤差の緩和により、上記指体とロックデバイスの上記スカートとの間の衝突が発生し得る配置を回避することが可能となる。さらに、このような間接衝撃爪石は、同様に、他のタイプのレバー式脱進機に一体化され得、そのため、本発明は、複数のタイプの時計に適用され得る。
【００１３】
他の特徴及び対応する利点は、従属請求項から、及び、以下で本発明をさらに詳細に説明する説明から、明らかになる。
【００１４】
添付の図面は、従来技術及び本発明の実施形態を概略的にかつ例として示す。
【図面の簡単な説明】
【００１５】
【図１ａ】従来技術にかかる様々な脱進機を示す概略的に示す図であって、スイスレバー式脱進機を示す斜視図である。
【図１ｂ】従来技術にかかる様々な脱進機を示す概略的に示す図であって、戻止脱進機を示す上面図である。
【図１ｃ】従来技術にかかる様々な脱進機を示す概略的に示す図であって、ロビン式脱進機を示す上面図である。
【図１ｄ】従来技術にかかる様々な脱進機を示す概略的に示す図であって、特許文献１にかかる脱進機を示す上面図である。
【図１ｅ】従来技術にかかる様々な脱進機を示す概略的に示す図であって、径方向二重衝撃型脱進機と称する脱進機を示す上面図である。
【図１ｆ】従来技術にかかる様々な脱進機を示す概略的に示す図であって、同軸脱進機を示す上面図である。
【図２ａ】脱進機の機構が正常に行われているときの特許文献１にかかる脱進機の機構の主要段階を示す概略上面図である。
【図２ｂ】脱進機の機構が正常に行われているときの特許文献１にかかる脱進機の機構の主要段階を示す概略上面図である。
【図２ｃ】脱進機の機構が正常に行われているときの特許文献１にかかる脱進機の機構の主要段階を示す概略上面図である。
【図２ｄ】脱進機の機構が正常に行われているときの特許文献１にかかる脱進機の機構の主要段階を示す概略上面図である。
【図２ｅ】脱進機の機構が正常に行われているときの特許文献１にかかる脱進機の機構の主要段階を示す概略上面図である。
【図２ｆ】脱進機の機構が正常に行われているときの特許文献１にかかる脱進機の機構の主要段階を示す概略上面図である。
【図２ｇ】脱進機の機構が正常に行われているときの特許文献１にかかる脱進機の機構の主要段階を示す概略上面図である。
【図２ｈ】脱進機の機構が正常に行われているときの特許文献１にかかる脱進機の機構の主要段階を示す概略上面図である。
【図２ｉ】脱進機の機構が正常に行われているときの特許文献１にかかる脱進機の機構の主要段階を示す概略上面図である。
【図２ｊ】脱進機の機構が正常に行われているときの特許文献１にかかる脱進機の機構の主要段階を示す概略上面図である。
【図３】本発明にかかる脱進機を示す概略上面図である。
【図４ａ】脱進機の機構が正常に行われているときの本発明にかかる脱進機の機構の主要段階を示す概略上面図である。
【図４ｂ】脱進機の機構が正常に行われているときの本発明にかかる脱進機の機構の主要段階を示す概略上面図である。
【図４ｃ】脱進機の機構が正常に行われているときの本発明にかかる脱進機の機構の主要段階を示す概略上面図である。
【図４ｄ】脱進機の機構が正常に行われているときの本発明にかかる脱進機の機構の主要段階を示す概略上面図である。
【図４ｅ】脱進機の機構が正常に行われているときの本発明にかかる脱進機の機構の主要段階を示す概略上面図である。
【図４ｆ】脱進機の機構が正常に行われているときの本発明にかかる脱進機の機構の主要段階を示す概略上面図である。
【図４ｇ】脱進機の機構が正常に行われているときの本発明にかかる脱進機の機構の主要段階を示す概略上面図である。
【図４ｈ】脱進機の機構が正常に行われているときの本発明にかかる脱進機の機構の主要段階を示す概略上面図である。
【図４ｉ】脱進機の機構が正常に行われているときの本発明にかかる脱進機の機構の主要段階を示す概略上面図である。
【図４ｊ】脱進機の機構が正常に行われているときの本発明にかかる脱進機の機構の主要段階を示す概略上面図である。
【図５】時計ムーブメントの故意でない運動または故意でない停止に続いて脱進機の機構が正常に行われていないときの本発明にかかる脱進機の機構の主要段階を示す概略上面図であって、この場合において、間接衝撃手段が、雁木車と接触して第２可動体を介した間接衝撃によって調整機構へトルクを伝達させる、概略上面図である。
【発明を実施するための形態】
【００１６】
例として本発明の実施形態を示す添付の図面を参照しながら、本発明を詳細に説明する。
【００１７】
本発明は、時計に、好ましくは腕時計に一体化されることを意図した脱進機に関する。使用する用語を簡略化するために、以下では、「時計(timepiece)」及び「腕時計(watch)」を無差別に参照するが、任意のタイプの時計に及ぶ対応する説明の範囲を制限しない。特に、本発明にかかる脱進機は、直接衝撃型脱進機、特にロビン式脱進機であり、本発明は、特に好ましい態様において、特許文献１にまたは特許文献２に記載されたような脱進機によって実現される。以下の説明が特許文献１で説明した脱進機に本発明を一体化した具体的な場合のみを詳述しているが、他のタイプの脱進機を本発明と組み合わせて使用することは、可能であり、以下の説明は、類推によって、任意のタイプの戻止脱進機に、すなわち任意のタイプの直接衝撃型脱進機に及び様々なタイプのレバー式脱進機に、拡張する。
【００１８】
本発明の内容をより理解することを可能とするために、以下の説明は、特許文献１にかかる脱進機の構造及び機構を簡潔に再述する。特許文献１に記載された一般的なレバー式脱進機及び直接衝撃型脱進機が当業者に公知であることから、説明のこの部分を本発明の内容に関連する事項まで可能な限り制限する。同様に、本明細書では、特許文献１で使用された用語も可能な限り使用する。
【００１９】
図１ｄは、特許文献１にかかる脱進機を示す上面図であり、この図は、その構造をより容易に理解することを可能とする。この脱進機は、総称で、第１可動体１及び第２可動体２を有する。第１可動体１は、軸１．１回りに回転し、第１及び第２ドテ４．１、４．２それぞれによって画成された第１または第２位置で第２可動体２を停止させることができ、上記第２可動体２は、これら第１及び第２ドテに達し、当接して支えられる。第１可動体１は、内壁１．２．１．１及び外壁１．２．１．２を有するスカート１．２．１によって囲まれた円形プレート１．２によって、ローラによって実現されており、上記スカート１．２．１は、第２可動体２に固定された指体２．２．３が横断するように構成された切欠１．２．１．３を有する。特許文献１においてさらに詳細に説明されて、この点に関して特許文献１を参照するように、第２可動体２には、矩形状運動が付与され得、そのため、第２可動体の指体２．２．３は、回転する第１可動体１に対して常に径方向に移動し、この構成は、図面に示されていない、または、第２可動体２には、回動中心２．１の周囲に連節されることによって角度付き運動が付与され得、回動中心２．１は、指体が上記スカート１．２．１の切欠１．２．１．３を横断するときに第２可動体の指体２．２．３が同様に第１可動体１に対してほぼ径方向に移動するように選択されている。これら２つの変形は、本発明に関する機能レベルにおいて同等であり、この後者の構成のみを以下で詳述しかつ図面に示す。すべての場合において、第２可動体２は、第２可動体が第１ドテ４．１に支えられて第２可動体の指体２．２．３がスカート１．２．１の内壁１．２．１．１に隣接すると、第１位置で停止され、第２可動体は、第２可動体が第２ドテ４．２に支えられて第２可動体の指体２．２．３が上記スカート１．２．１の外壁１．２．１．２に隣接すると、第２位置で停止される。このデバイスの構造的な性質のさらなる詳細については、特許文献１を参照されたい。
【００２０】
一連の図２ａから図２ｊを参照しながら、特許文献１にかかる脱進機の機構を簡潔に以下で説明し、これら図２ａから図２ｊは、特許文献１にかかるロックデバイスが備え付けられたロビン式脱進機の機構における１０の主要段階を各位置において上面図で概略的に示しており、段階それぞれは、対応する運動の開始時において示されている。この場合において、脱進機のテンプは、回転する可動体１として機能し、アンクルは、第２可動体２として機能する。図２ａから図２ｊにおいて、図１ｄにおけるように、テンプ１は、その全体が示されていないが、スカート１．２．１によって囲まれた小さい円形ローラ１．２によって示されており、この円形ローラは、テンプ１の軸１．１と同軸に一体化されており、テンプは、同様に、図面に示されていない衝撃ローラを支持しており、このテンプは、同様に、軸１．１と同軸に一体化されており、直接衝撃型爪石１．３及びピン１．４を備える。さらに、回動中心２．１回りに回動する態様で備え付けられたアンクル２は、特許文献１に記載されているように、アンクル２の上記指体２．２．３を支持する保護ピン２．２と、上記ピン１．４と協働するクワガタ２．３と、当業者に周知の態様で雁木車３と協働する入止爪石２．４及び出止爪石２．５と、を有する。雁木車は、同様に、衝撃をテンプ１へ直接伝達させるために、上記直接衝撃型爪石１．３と協働する。レバー式脱進機について上記で使用した用語及びこれら部品の有用な機能は、当業者に公知である。
【００２１】
図２ａは、「入止解除」と一般に称される段階中における特許文献１にかかるロックデバイスを備え付けたロビン式脱進機を上方から見た図を示しており、この段階において、雁木車３の歯は、アンクル２の入止爪石２．４に支えられており、それにより、雁木車３は、回転できない。テンプ１は、図２ａにおいて上方から見ると、反時計回り方向でテンプの半振動の開始にあり、テンプの衝撃ローラにあるピン１．４は、アンクルを押すためにアンクル２のクワガタ２．３に係合し、これらアンクルは、第１ドテ４．１に支えられていること及びアンクルの指体２．２．３がテンプ１の小ツバにおけるスカート１．２．１の内壁１．２．１．１に隣接していることに起因して第１位置にロックされており、それにより、アンクル２の入止爪石２．４を入止爪石に支えられている雁木車３の歯からロック解除する。この運動は、上記スカート１．２．１に配設された切欠１．２．１．３を所定位置に至らせるテンプ１を回転させることによって可能とされ、この位置により、指体２．２．３は、切欠を横断することが可能となり、そのため、指体２．２．３は、後続の段階中に、スカート１．２．１の内壁１．２．１．１から外壁１．２．１．２へ通過する。様々な部品の運動は、対応する矢印によって図２ａから図２ｊにおいて象徴化されている。
【００２２】
図２ｂは、「衝撃ドロップ」と称される段階中の脱進機を再び上方から見て示しており、この段階において、テンプ１の衝撃ローラにあるピン１．４は、アンクル２を十分に遠くに押しており、そのため、雁木車３の歯であって以前はアンクル２の入止爪石２．４に支えられていた歯は、解放され、そのため、雁木車３は、対応する時計の歯車列によって伝達された香箱のゼンマイの駆動力の影響を受けて、依然として上方から見て時計回り方向で回転する。
【００２３】
図２ｃは、「衝撃」と称される段階中の脱進機を上方から見て示しており、この段階において、雁木車３は、香箱のゼンマイの駆動力の影響を受けて、脱進機の歯がテンプ１の衝撃ローラに固定された直接衝撃型爪石１．３に接触する点まで、回転し、そのため、テンプの振動を維持するために、衝撃をテンプ１へ直接伝達させる。この運動中に、テンプ１の衝撃ローラにあるピン１．４は、アンクル２を時計回り方向で押し続ける。
【００２４】
図２ｄは、「入口ドロップ」と称される段階中の脱進機を上方から見て示しており、この段階において、アンクル２は、時計回り方向で十分に回転しており、そのため、アンクル２の出止爪石２．５は、雁木車３の歯の軌道に進入する。このため、雁木車は、雁木車の歯のうちの１つがアンクル２の上記出止爪石２．５に係合するまで、雁木車の回転を続け、このため、雁木車３は、再び停止され、一方で、上からから見て、テンプ１及びアンクル２は、反時計回り方向でこれらテンプ及びアンクルの半振動を続け、テンプ及びアンクルそれぞれは、反時計回り方向で回動する。
【００２５】
図２ｅは、「入口ズレ(entry backlash)」と称する段階中の脱進機を上方から見て示しており、この段階において、雁木車３は、有効に停止されており、雁木車の歯の１つは、アンクル２の出止爪石２．５に支えられており、一方で、上方から見て、テンプ１及びアンクル２は、依然として、反時計回り方向でこれらテンプ及びアンクルの半振動を続ける、すなわち、時計回り方向で回動する。
【００２６】
図２ｆは、「出止」と称する段階中の脱進機を上方から見て示しており、この段階において、雁木車３は、アンクル２の出止爪石２．５によって依然として停止されており、アンクルは、テンプ１の小ツバにおけるスカート１．２．１の外壁１．２．１．２に隣接している第２ドテ４．２及びアンクルの指体２．２．３に支えられているので、今、第２位置で停止している。順に、テンプ１は、反時計回り方向でのテンプの半振動の死点に位置する。
【００２７】
図２ｇは、「出止解除」と称する段階中の脱進機を上方から示しており、この段階において、機能ステップの開始において、雁木車３の歯は、アンクル２の出止爪石２．５に支えられており、そのため、雁木車３は、まだ回転できない。テンプ１は、図２ｇに従って上方から見て、時計回りでのテンプの半振動の開始にあり、テンプの衝撃ローラにあるピン１．４は、他方向でアンクル２のクワガタ２．３に係合し始め、アンクルを押し、アンクルは、上述のように、テンプ１の小ツバにおけるスカート１．２．１の外壁１．２．１．２に隣接する第２ドテ４．２及びこのアンクルの指体２．２．３に支えられているので、上方から見て反時計回り方向で、第２位置で停止して位置しており、そのため、アンクル２の出止爪石２．５をこの出止爪石に支えられている雁木車３の歯からロック解除する。この運動は、テンプ１の回転によって可能とされており、このテンプは、上記スカート１．２．１に配設された切欠１．２．１．３を指体２．２．３が切欠を横断することを可能とする位置へ至らせ、そのため、指体２．２．３は、後続のステップ中に、スカート１．２．１の外壁１．２．１．２から内壁１．２．１．１に戻るように通過する。
【００２８】
図２ｈは、「出ドロップ」と称する段階中の脱進機を上方から示しており、この段階において、テンプ１の衝撃ローラにあるピン１．４は、アンクル２を十分に遠くへ押しており、そのため、アンクル２の出止爪石２．５に以前支えられていた雁木車３の歯は、解放され、そのため、雁木車３は、対応する時計の歯車列によって伝達された香箱のゼンマイの駆動力の影響を受けて、上方から見て、時計回り方向で回転する。この運動中において、テンプ１は、時計回り方向でテンプの半振動を続け、テンプ１の衝撃ローラにあるピン１．４は、反時計回り方向でアンクル２を押し続け、そのため、アンクル２の入止爪石２．４は、雁木車３の歯の軌道に再び進入する。このため、テンプは、テンプの歯のうちの１つがアンクル２の上記入止爪石２．４に係合するまで、テンプの回転を続け、その後、雁木車３は、再び停止される。この段階中において、テンプ１が時計回り方向でのテンプの半振動を実行するときに雁木車３の歯がテンプに接触しないように直接衝撃型爪石１．３が衝撃ローラに配設されかつ位置しているので、雁木車３は、テンプ１に衝撃を伝達しない。
【００２９】
図２ｉは、「出ズレ(exit backlash)」と称する段階中の脱進機を上方から示しており、この段階において、雁木車３は、有効に停止されており、雁木車の歯のうちの１つは、アンクル２の入止爪石２．４に当接して支えられており、一方で、テンプ１及びアンクル２は、上方から見て、依然として反時計回り方向でこれらテンプ及びアンクルの半振動、すなわち反時計回り方向での回動を続ける。
【００３０】
図２ｊは、「入止」と称する段階中の脱進機を上方から示しており、この段階において、雁木車３は、アンクル２の入止爪石２．４によって依然として停止されており、アンクルは、第１ドテ４．１とテンプ１の小ツバにおけるスカート１．２．１の内壁１．２．１．１に隣接するその指体２．２．３とに支えられているので、第１位置で再び停止される。テンプ１は、順に、時計回り方向でこのテンプの半振動の死点に位置しており、振動サイクルを再始動する準備が整い、そのため、上述したステップを脱進機自体を繰り返す。
【００３１】
これに関連して、留意することは、特許文献１にかかる脱進機の機能の上記図による説明が同様に特許文献２にかかる脱進機にも有効であり、原則として、単一拍を有する、すなわち調整機構の振動それぞれ中の半段階であって衝撃がない半段階を有するロビン式脱進機、すなわちレバー式脱進機に類推によって適用される。
【００３２】
図３は、本発明にかかる脱進機を示す概略上面図である。この図からわかることは、一般的な用語で、このような脱進機は、時計ムーブメントと一体化されるように構成され、かつ、上記時計ムーブメントのエネルギー源に由来するトルクを上記時計ムーブメントの振動する調整機構に伝達させるように構成されており、時計ムーブメントの調整機構は、第１可動体１を備え、脱進機は、第２可動体２と、同様に雁木車３と、を備える。第１可動体１は、第１及び第２ドテ４．１、４．２で各別に画成された第１または第２位置で第２可動体２を停止させるように構成することによって、第２可動体２と協働し、上記第２可動体２は、これら第１及び第２ドテに達して支えられる。雁木車３は、調整機構の振動それぞれの半段階において、直接衝撃によって上記調整機構にトルクを伝達させるように構成されている。また、上記第２可動体２は、脱進機の通常機能中に調整機構の全振動において雁木車３と接触せず、一方で、時計ムーブメントの故意でない運動または故意でない停止に続いて、調整機構の振動それぞれの他の半段階であってこの半段階中に雁木車３が直接衝撃によって調整機構へトルクを伝達させない半段階において雁木車３と接触でき、そのため、第２可動体２を介した間接衝撃によって時計ムーブメントの上記調整機構へトルクを伝達させるように、特にそのため時計ムーブメントの自動始動を確実にするように、構成されかつ位置付けられている。
【００３３】
時計脱進機、すなわち時計ムーブメントの実用化の大部分において、上記エネルギー源は、香箱ゼンマイによって形成されており、上記調整機構は、テンプによって形成されており、時計ムーブメントの調整機構の上記第１可動体１は、テンプの軸１．１によって支持されたローラ１．２によって通常形成されている。
【００３４】
さらに、特許文献１で詳述したように、脱進機の第２可動体２には、原則的に、角度付き運動または矩形状運動が付与され得る。第１の場合において、脱進機の上記第２可動体２は、好ましくは、アンクル２によって形成されており、テンプの軸１．１によって支持されている上記ローラ１．２は、上記アンクル２と協働するように構成されている。
【００３５】
本発明にかかる脱進機の上記間接衝撃手段２．６の実現により詳しく関して、この間接衝撃手段は、好ましくは、上記第２可動体２、すなわち上記アンクル２の回動軸に十分に近接して位置する間接衝撃爪石２．６によって形成されている。好ましくは、上記間接衝撃爪石２．６は、図３に示すように、出止爪石２．５を支持するアンクル２の腕体のうち上記回動軸に近接する第１半体に位置する。この間接衝撃爪石２．６は、アンクル２と一部品でまたはアンクル２に備え付けられる別部品で製造され得る。好ましくは、間接衝撃爪石は、別の部品によって実現されており、ルビーまたはサファイアのような低摩擦かつ低摩耗材料から形成されている。
【００３６】
本発明にかかる脱進機の雁木車３の実現に関して、この雁木車は、図３に示す好ましい実施形態において、１３から１９の範囲にある数の歯を備える。
【００３７】
また、本発明にかかる脱進機は、好ましい実施形態において、特許文献１にかかるロックデバイスを備え、このようなデバイスの構造及び機能は、上述されており、このようなロックデバイスを備える本発明にかかる脱進機に対して同じ態様で適用される。特に好ましい実施形態において、本発明にかかる脱進機は、同様に、上述したようなかつ特許文献２で詳述されたような安定化案内面を有し、このような安定化案内面の構造及び機能は、同様に、このような安定化案内面を備える本発明にかかる脱進機に対して同じ態様で適用される。
【００３８】
本発明にかかる脱進機の機能に関して、図４ａから図４ｊは、機能が正常に行われているときの本発明にかかる脱進機が機能している主要な段階を概略上面図で示しており、本発明は、これら図において、特許文献１にかかる脱進機に適用される。これに関して、留意することは、特許文献１にかかる脱進機の機能について図２ａから図２ｊを参照した上記説明が、本発明にかかるこの実施形態における脱進機について完全に有効であること、である。この点は、同様に、特許文献２にかかる少なくとも１つの安定化案内面を備える本発明にかかる一実施形態における脱進機に適用され、類推によって、すなわち調整機構の振動それぞれにおいて半段階であってこの半段階中に衝撃の伝達がない半段階を有しかつ本発明にかかる間接衝撃手段２．６が備え付けられた本発明にかかる実施形態すべてにおける脱進機に、すなわち、ロビン式脱進機に、または単一拍を有するレバー式脱進機に適用される。実際に、上記間接衝撃手段２．６が第２可動体２にあること及び雁木車３の歯の数が異なることを別として、本発明にかかる脱進機の構造及び通常機能は、異常状態が生じたときにのみ間接衝撃手段２．６が能動的役割を取ることから、特許文献１にかかる脱進機の構造及び通常機能と、すなわち対応するロビン式脱進機の構造及び通常機能と、同じである。その結果、一連の図２ａから図２ｊに関連して上述した説明すべては、一連の図４ａから図４ｊに示すように、本発明にかかる脱進機の通常機能について有効であり、これら図４ａから図４ｊは、一連の図２ａから図２ｊのように、本発明にかかる脱進機が通常機能している同じ主な段階を示す。簡素化のために、これら説明を本明細書では説明せず、類推によって一連の図４ａから図４ｊに適用する。
【００３９】
特に時計ムーブメントの故意でない運動または故意でない停止に続いて異常が発生したときの本発明にかかる脱進機の機能に関して、図５は、本発明にかかる脱進機が機能している段階を概略上面図で示しており、この段階において、間接衝撃手段２．６は、能動的役割を取る。実際に、時計ムーブメントの故意でない運動または故意でない停止に続いて、脱進機の機能が異常に行われると、間接衝撃手段２．６は、雁木車３の歯のうちの１つと接触し、第２可動体２を介した間接衝撃によって調整機構にトルクを伝達する。間接衝撃爪石２．６は、同様に、テンプの振幅が香箱の降下に続いて減少すると、テンプに衝撃を与え得、これは、「順番での衝撃」と称され得、この場合を図には示していない。このため、本発明は、所定の脱進機を提案することによって、導入部で言及した従来技術の脱進機の欠点を回避することを可能とし、この脱進機は、ロビン式の特許文献１にかかるすなわち脱進機の、すなわち戻止脱進機の構成部材に加えて、アンクル２の回動軸に近接して備え付けられた間接衝撃爪石の形態にある上記間接衝撃手段２．６をさらに備えており、この間接衝撃手段２．６は、脱進機の柱状機能中に調整機構の全振動中に雁木車３と接触しないままであり、異常機能中にのみ介入して間接衝撃の伝達を行う。
【００４０】
これに関連して、付け加え得ることは、約５０年前に、高速度カメラを用いた観測を行うことによって、レバー式脱進機の機能中において、テンプによる脱進機の解放後に、この脱進機の歯のうちの１つがアンクルの爪石のうちの１つに達する前に雁木車が実質的な経路を進むことを観測したことに、時計師らが驚いたこと、である。実際には、雁木車の対応する歯がまだ接触に成功していないので、従来のアンクルの入爪及び出爪の長さのほぼ１／３を使用していない。雁木車の歯がテンプの衝撃ローラに位置する衝撃爪石に達しなければならずそのため直接衝撃の伝達を行う直接衝撃型脱進機も該当する。２つの場合において、これは、一般的に失敗として考慮され、様々な手段を使用してこれを最小化する。したがって、アンクルにある間接衝撃爪石を有する本発明にかかる脱進機であって当該脱進機の通常機能中において雁木車の歯が全くこの爪石に達しない脱進機、すなわち、脱進機の通常機能に関与しないが異常機能中にのみ介入する脱進機は、特定の範囲まで、時計の分野において従来の技術的教示とは対照的である。他方、脱進機における振幅損失、震動または停止する傾向がある場合において、雁木車の歯のうちの１つは、間接衝撃爪石と接触し、間接衝撃を行うことを可能とし、間接衝撃爪石２．６の存在によって脱進機が機能する特定の段階中に利用されるさらなる幾何形状制限がもたらされ、また、例えば間接衝撃爪石の配置の及び／または形状の変動によってこの脱進機が用途の実際的事例による必要性の関数として適合され得ることから、この間接衝撃は、可能であるならば、自動再始動をもたらす。この点について同様に留意し得ることは、図１ｅからわかるようにこの脱進機のアンクルに中心に位置する第３衝撃爪石Ｌが調整機構の振動の半段階であってこの半段階において雁木車が直接衝撃によって調整機構へトルクを伝達しない半段階それぞれにおいてトルクをテンプに対称的に伝達させる、すなわち、この第３衝撃爪石が常に径方向二重衝撃型脱進機の通常機能中に常に関与することから、上述したことが導入部で言及した径方向二重衝撃の構成によって強調されること、である。その結果、本発明は、同様に、径方向二重衝撃型脱進機で、または、これら脱進機に存在しかつこれら脱進機の通常機能中に常に関与する第３衝撃爪石を本発明にかかる間接衝撃爪石２．６で置換することによって導入部で言及した同軸脱進機であって脱進機の異常機能中にのみ介入する脱進機で、実現され得る。
【００４１】
本発明かかる時計脱進機の配置及び機能の観点から、上述のように、当業者は、任意のタイプの直接衝撃型脱進機において、特にロビン式脱進機において、特に好ましくは特許文献１にかかる及び特許文献２にかかる脱進機において、実現され得ることを理解する。一般的に、本発明は、図面にかかる場合すべて及び本明細書における対応する詳細すべてに言及する必要なくかつ言及する可能性なく、単一拍を有する任意のタイプのレバー式脱進機において実現され得る。上記で現れている技術的教示の観点において、当業者は、同様に、本発明が脱進機とエネルギー源、調整機構、ギアトレイン及びこのような時計脱進機を備える時計ムーブメントとに関することを理解する。また、本発明は、同様に、時計、好ましくは機械式腕時計に関し、この時計は、このような時計ムーブメント、すなわちこのような時計ムーブメントを備える。好ましくは、本発明は、クロノグラフ機構またはスプリットタイムカウンタ機構を有する腕時計に関し、この腕時計では、直接衝撃の利点を特に有利に利用され得る。
【００４２】
したがって、本発明にかかる時計脱進機によれば、この脱進機の間接衝撃爪石が、例えば時計ムーブメントの故意でない運動または故意でない停止に続いてかつテンプの振動の半段階中であって直接衝撃によってテンプにトルクを直接伝達させない半段階中に、雁木車と接触し、間接衝撃によってアンクルを介してテンプに伝達させ、このトルクが、時計ムーブメントを再始動させるのに十分であることから、単一拍型脱進機の自動始動に関する問題を防止することが可能となる。同時に、本発明によれば、特許文献１にかかる脱進機へのかつ特許文献２にかかる脱進機への用途の場合において、デバイスの機能段階中に第２可動体２を完全な態様で固定することが可能となり、この機能段階において、第２可動体２に取り付けられた指体２．２．３が第１可動体１の上記スカート１．２．１の切欠１．２．１．３を横断し、そのため、スカート１．２．１にある切欠１．２．１．３を拡大し得る。このため、スカートの外側へ保護ピンの指体が出る間に関与する部品の許容誤差を緩和し得、このため、上記指体と上記デバイスの上記スカートとの間の衝突が発生し得る配置を防止することが可能となる。したがって、間接衝撃手段２．６は、自動始動手段の役割と、付随的な態様で、安定化手段としての役割と、を果たす。
【００４３】
要約すると、本発明によれば、所定の時計脱進機の実現が可能となり、この時計脱進機は、戻止脱進機の上記利点を有しかつムーブメントの故意でない停止の場合における自動始動を保証し、そのため、この時計脱進機は、単一拍型脱進機の自動始動に関する問題を示さない。また、本発明によれば、スカートの保護ピンから指体が出る間に関与する部品の許容誤差を緩和することを可能とすることによって、このため、上記指体とロックデバイスの上記スカートとの間の衝突が発生し得る配置を防止することによって、特にＡＰ脱進機の場合において、脱進機の機構の安全性をさらに改善することが可能となる。さらに、原則的に間接衝撃爪石からなる提案した構成は、脱進機の機能中において、簡素かつ頑丈であり、また、信頼性がある。このような間接衝撃爪石は、複数のタイプの戻止脱進機及び／またはレバー式脱進機に一体化され得、そのため、本発明は、柔軟な態様で複数のタイプの時計に適用され得る。特に、本発明は、好ましくは、機械式腕時計、特にクロノグラフ機構またはスプリットタイムカウンタ機構が備え付けられた腕時計に適用され得る。
【符号の説明】
【００４４】
１  第１可動体，テンプ、１．１  軸、１．２  円形ローラ，円形プレート、１．２．１  スカート、１．２．１．１  内壁、１．２．１．２  外壁、１．２．１．３  切欠、２  第２可動体，アンクル、２．２．３  指体、２．５  出止爪石，出止アンクル位置、２．６  間接衝撃手段，間接衝撃爪石、３  雁木車、４．１  第１ドテ、４．２  第２ドテ
【図１ａ】
2019203894.tif 000003
【図１ｂ】
2019203894.tif 000004
【図１ｃ】
2019203894.tif 000005
【図１ｄ】
2019203894.tif 000006
【図１ｅ】
2019203894.tif 000007
【図１ｆ】
2019203894.tif 000008
【図２ａ】
2019203894.tif 000009
【図２ｂ】
2019203894.tif 000010
【図２ｃ】
2019203894.tif 000011
【図２ｄ】
2019203894.tif 000012
【図２ｅ】
2019203894.tif 000013
【図２ｆ】
2019203894.tif 000014
【図２ｇ】
2019203894.tif 000015
【図２ｈ】
2019203894.tif 000016
【図２ｉ】
2019203894.tif 000017
【図２ｊ】
2019203894.tif 000018
【図３】
2019203894.tif 000019
【図４ａ】
2019203894.tif 000020
【図４ｂ】
2019203894.tif 000021
【図４ｃ】
2019203894.tif 000022
【図４ｄ】
2019203894.tif 000023
【図４ｅ】
2019203894.tif 000024
【図４ｆ】
2019203894.tif 000025
【図４ｇ】
2019203894.tif 000026
【図４ｈ】
2019203894.tif 000027
【図４ｉ】
2019203894.tif 000028
【図４ｊ】
2019203894.tif 000029
【図５】
2019203894.tif 000030
【外国語明細書】
2019203894000001.pdf